(57)【特許請求の範囲】
【請求項１】
正極板および負極板をセパレータを介して積層してなる発電要素が、金属層の少なくとも内側表面に合成樹脂層をラミネートしたラミネートフィルムからなる外装体の内部に電解液とともに収容され、端子を導出した状態で上記外装体が密封されてなる偏平なフィルム外装電池の検査方法であって、
上記発電要素の積層方向に沿って上記外装体を外側から加圧し、この加圧状態において、上記端子と上記金属層との間で絶縁不良検査を行う、フィルム外装電池の検査方法。
【請求項２】
上記積層方向に沿った平面視において上記外装体の表面を複数の領域に区分し、各領域毎に加圧して、各々の加圧状態において上記絶縁不良検査を行う、請求項１に記載のフィルム外装電池の検査方法。
【請求項３】
各回の加圧領域の総和が、少なくとも上記発電要素を覆う上記外装体の範囲の全体を含んでいる、請求項２に記載のフィルム外装電池の検査方法。
【請求項４】
電解液を充填しかつ外装体をシールしたフィルム外装電池を、第１の検査ステージに搬送し、
第１の検査ステージにおいて、上記発電要素を覆う上記外装体の範囲の一部に対応した加圧面を有する加圧バーによって上記外装体を加圧しつつ、上記金属層と端子との間で第１の絶縁不良検査を行い、
フィルム外装電池を第２の検査ステージに搬送し、
第２の検査ステージにおいて、上記範囲の残部に対応した加圧面を有する加圧バーによって上記外装体を加圧しつつ、上記金属層と端子との間で第２の絶縁不良検査を行う、
請求項１に記載のフィルム外装電池の検査方法。
【発明の詳細な説明】
【技術分野】
【０００１】
この発明は、ラミネートフィルムを外装体とした偏平なフィルム外装電池に関し、特に、内部の発電要素の電極とラミネートフィルムの金属層との間の絶縁状態を検査する検査方法に関する。
【背景技術】
【０００２】
金属層の表面に合成樹脂層がラミネートされたラミネートフィルムを外装体として用い、正極板、負極板およびセパレータを複数積層してなる発電要素を、電解液とともに内部に収容した、偏平形状をなすフィルム外装電池が知られている（特許文献１，２）。【０００３】
この種のフィルム外装電池は、例えばリチウムイオン電池などとして用いられるが、特許文献２には、リチウムイオン電池として構成したフィルム外装電池の完成後に、外装体の接合面から導出された金属端子と外装体の金属層との間の絶縁を検査することが開示されている。この特許文献２においては、発電要素をラミネートフィルムからなる外装体内に収容して金属端子周囲をヒートシールした後（電解液充填前）に、金属端子と外装体の金属層との間にインパルス電圧を印加して第１の絶縁不良検査を行い、さらに、電解液を充填して外装体を完全に封止した後に、同様にインパルス電圧を印加して第２の絶縁不良検査を行っている。【０００４】
発電要素の電極と外装体の金属層との間の絶縁は、当然のことながら、電池として使用している状況下で担保されている必要があり、従って、絶縁不良検査としては、できるだけ実際の電池の使用状態に近い状態で行うことが望ましい。ここで、上記特許文献２の検査方法においては、ラミネートフィルムからなる外装体の内部に電解液を充填し外装体を封止した後に絶縁不良検査を行っているが、この検査の際に、検査対象となるフィルム外装電池が自由状態に置かれている。【０００５】
しかし、偏平形状をなすフィルム外装電池を複数積層した状態で使用する場合、フィルム外装電池の移動を防止するため、等により、外装体の主面と直交する方向（つまり正極板等の積層方向）に多少の加圧力を受けた状態で使用されることが考えられる。また、個々のフィルム外装電池の完成後における搬送やバッテリモジュールとして組み立てる際の取り扱い中などに加圧力を受けることもある。ラミネートフィルムからなる外装体は可撓性を有するので、このような外部からの力によって撓み変形し、内部の発電要素も積層方向に圧縮されることがある。【０００６】
従って、従来のようにフィルム外装電池を自由状態としたまま絶縁不良検査を行っても、必ずしも十分な検査の信頼性が得られない。【０００７】
この発明は、フィルム外装電池に対し、より信頼性の高い絶縁不良検査を行うことを目的としている。
【先行技術文献】
【特許文献】
【０００８】
【特許文献１】特開２００３−３０３５８３号公報
【特許文献２】国際公開ＷＯ２０１１／０４０４４６Ａ１
【発明の概要】
【０００９】
この発明は、正極板および負極板をセパレータを介して積層してなる発電要素が、金属層の少なくとも内側表面に合成樹脂層をラミネートしたラミネートフィルムからなる外装体の内部に電解液とともに収容され、端子を導出した状態で上記外装体が密封されてなる偏平なフィルム外装電池の検査方法であって、
上記発電要素の積層方向に沿って上記外装体を外側から加圧し、この加圧状態において、上記端子と上記金属層との間で絶縁不良検査を行う。
【００１０】
例えば極微小な異物が外装体内部に混入していたような場合に、フィルム外装電池が自由状態のままであれば絶縁が保たれているものの、実際の使用状況のように外装体が外側から加圧されてラミネートフィルムが発電要素を押圧している状態では絶縁不良となることが生じ得る。本発明では、外装体を外側から加圧した加圧状態において端子と金属層との間の絶縁不良を検査するので、このような不良品を事前に発見して排除することができる。
【００１１】
ここで、外装体の表面の全面を一度に押圧すると、外装体の内部に密に充填されている電解液が加圧力に抵抗する形となり、外装体と発電要素との密接を阻害する。従って、本発明では、望ましくは、上記積層方向に沿った平面視において上記外装体の表面を複数の領域に区分し、各領域毎に加圧して、各々の加圧状態において上記絶縁不良検査を行う。このようにすれば、区分した領域の数に対応した回数の絶縁不良検査が必要となるが、可撓性を有する外装体が部分的に押圧されることから、外装体が内部の発電要素に対し確実に押し付けられた状態が得られ、実際の電池の使用状況に近似した絶縁不良検査が行える。
【００１２】
このように複数の領域に分割して個々に絶縁不良検査を行う場合には、各回の加圧領域の総和が、少なくとも上記発電要素を覆う上記外装体の範囲の全体を含んでいることが望ましい。すなわち、発電要素を覆う外装体の範囲の各部が、少なくとも１回は加圧された状態でその絶縁不良が検査されることになる。
【００１３】
好ましい一つの態様では、本発明のフィルム外装電池の検査方法は、
電解液を充填しかつ外装体をシールしたフィルム外装電池を、第１の検査ステージに搬送し、
第１の検査ステージにおいて、上記発電要素を覆う上記外装体の範囲の一部に対応した加圧面を有する加圧バーによって上記外装体を加圧しつつ、上記金属層と端子との間で第１の絶縁不良検査を行い、
フィルム外装電池を第２の検査ステージに搬送し、
第２の検査ステージにおいて、上記範囲の残部に対応した加圧面を有する加圧バーによって上記外装体を加圧しつつ、上記金属層と端子との間で第２の絶縁不良検査を行う。
【００１４】
すなわち、発電要素を覆う外装体の範囲を２つの領域に区分した形で、第１および第２の検査ステージにおいて、それぞれ絶縁不良検査を行う。これにより、発電要素の全面について、正極板ないし負極板と外装体の金属層との間の絶縁不良の検査を確実かつ効率よく行うことができる。
【００１５】
この発明によれば、電解液の充填後に、フィルム外装電池を外側から加圧した状態で絶縁不良検査を行うので、自由状態では絶縁が保たれているものの外側から外装体が押圧された状態では絶縁不良となるようなフィルム外装電池を確実に発見でき、不良品として未然に排除することができる。
【図面の簡単な説明】
【００１６】
【図１】この発明による検査の対象となるフィルム外装電池の一例を示す斜視図。
【図２】同じくフィルム外装電池の断面図。
【図３】この発明に係る検査ステージの構成を概略的に示す構成説明図。
【図４】検査工程を示す工程説明図。
【図５】検査の流れを示すフローチャート。
【図６】検査工程の第２実施例を示す工程説明図。
【発明を実施するための形態】
【００１７】
以下、この発明の一実施例を図面に基づいて詳細に説明する。
【００１８】
初めに図１および図２に基づいて、この発明による検査の対象となるフィルム外装電池１の一例を説明する。フィルム外装電池１は、例えばリチウムイオン二次電池であり、図１に示すように、偏平な長方形の外観形状を有し、長手方向の一方の端縁に、導電性金属箔からなる一対の端子２，３を備えている。
【００１９】
図２に示すように、フィルム外装電池１は、長方形をなす発電要素４を電解液とともにラミネートフィルムからなる外装体５の内部に収容したものである。上記発電要素４は、セパレータ４３を介して交互に積層された複数の正極板４１および負極板４２からなり、例えば、３枚の負極板４２と、２枚の正極板４１と、これらの間の４枚のセパレータ４３と、を含んでいる。つまり、この例では、発電要素４の両面に負極板４２が位置している。但し、発電要素４の最外層に正極板４１が位置する構成も可能である。なお、図２における各部の寸法は必ずしも正確なものではなく、説明のために誇張したものとなっている。
【００２０】
正極板４１は、長方形をなす正極集電体４１ａの両面に正極活物質層４１ｂ，４１ｃを形成したものである。正極集電体４１ａは、例えば、アルミニウム箔、アルミニウム合金箔、銅箔、又は、ニッケル箔等の電気化学的に安定した金属箔から構成されている。また、正極活物質層４１ｂ，４１ｃは、例えば、ニッケル酸リチウム（ＬｉＮｉＯ2）、マンガン酸リチウム（ＬｉＭｎＯ2）、または、コバルト酸リチウム（ＬｉＣｏＯ2）等のリチウム複合酸化物からなる正極活物質と、カーボンブラック等の導電助剤と、バインダと、を混合したものを、正極集電体４１ａの主面に塗布し、乾燥及び圧延することにより形成されている。
【００２１】
負極板４２は、長方形をなす負極集電体４２ａの両面に負極活物質層４２ｂ，４２ｃを形成したものである。負極集電体４２ａは、例えば、ニッケル箔、銅箔、ステンレス箔、又は、鉄箔等の電気化学的に安定した金属箔から構成されている。負極活物質層４２ｂ，４２ｃは、例えば、非晶質炭素、難黒鉛化炭素、易黒鉛化炭素、又は、黒鉛等のような上記の正極活物質のリチウムイオンを吸蔵及び放出する負極活物質に、バインダを混合したものを、負極集電体４２ａの主面に塗布し、乾燥及び圧延させることにより形成されている。
【００２２】
上記負極集電体４２ａの長手方向の端縁の一部は、負極活物質層４２ｂ，４２ｃを具備しない延長部として延びており、その先端が負極端子３に接合されている。また図２には示されていないが、同様に、上記正極集電体４１ａの長手方向の端縁の一部が、正極活物質層４１ｂ，４１ｃを具備しない延長部として延びており、その先端が正極端子２に接合されている。
【００２３】
上記セパレータ４３は、正極板４１と負極板４２との間の短絡を防止すると同時に電解質を保持する機能を有するものであって、例えば、ポリエチレン（ＰＥ）やポリプロピレン（ＰＰ）等のポリオレフィン等から構成される微多孔性膜からなり、過電流が流れると、その発熱によって層の空孔が閉塞され電流を遮断する機能を有している。なお、セパレータ４３としては、ポリオレフィン等の単層膜に限られず、ポリプロピレン膜をポリエチレン膜でサンドイッチした三層構造のものや、ポリオレフィン微多孔性膜と有機不織布等を積層したものも用いることができる。
【００２４】
また、電解液としては、特に限定されるものではないが、リチウムイオン二次電池に一般的に使用される電解質として、例えば、有機溶媒にリチウム塩が溶解した非水電解液を用いることができる。
【００２５】
上記のような構成の発電要素４を電解液とともに収容する外装体５は、図２に一部を拡大して示すように、熱融着層５１と金属層５２と保護層５３との三層構造を有するラミネートフィルムからなる。中間の金属層５２は、例えばアルミニウム箔からなり、その内側面を覆う熱融着層５１は、熱融着が可能な合成樹脂例えばポリプロピレン（ＰＰ）からなり、金属層５２の外側面を覆う保護層５３は耐久性に優れた合成樹脂例えばポリエチレンテレフタレート（ＰＥＴ）からなる。なお、さらに多数の層を有するラミネートフィルムを用いることもできる。また、上記の例では金属層５２の両面に合成樹脂層をラミネートしているが、金属層５２の外側の合成樹脂層は必ずしも必須のものではなく、内側表面にのみ合成樹脂層を備えた構成であってもよい。
【００２６】
なお、電極４１，４２およびセパレータ４３の空孔体積の合計値に対する電解液量の割合は、１．３〜１．７が好ましい。
【００２７】
上記外装体５は、一つの例では、図２の発電要素４の下面側に配置される１枚のラミネートフィルムと上面側に配置される他の１枚のラミネートフィルムとの２枚構造をなし、これら２枚のラミネートフィルムの周囲の４辺を重ね合わせ、かつ互いに熱融着した構成となっている。図示例は、このような２枚構造の外装体５を示している。また、他の一つの例では、外装体５は１枚の比較的大きなラミネートフィルムからなり、２つ折りとした状態で内側に発電要素４を配置した上で、周囲の３辺を重ね合わせ、かつ互いに熱融着した構成となっている。
【００２８】
長方形をなすフィルム外装電池１の短辺側に位置する一対の端子２，３は、ラミネートフィルムを熱融着する際に、ラミネートフィルムの接合面を通して外部へ引き出されている。なお、図示例では、同じ一方の端縁に一対の端子２，３が並んで配置されているが、一方の端縁に正極端子２を配置し、かつ他方の端縁に負極端子３を配置するようにすることも可能である。
【００２９】
上記のフィルム外装電池１の製造手順としては、以下の通りである。まず、正極板４１、負極板４２およびセパレータ４３を順次積層し、かつ端子２，３をスポット溶接等により取り付けて発電要素４を構成する。次に、この発電要素４を外装体５となるラミネートフィルムで覆い、比較的小さな充填口を残して周囲の４辺（上記の２つ折りの場合は３辺）を熱融着する。次に、上記充填口を通して外装体５の内部に電解液を充填し、その後、充填口を熱融着して外装体５を密閉状態とする。これによりフィルム外装電池１が完成するので、次に、適宜なレベルまで充電を行い、この状態で、一定時間、エージングを行う。このエージングの完了後、電圧検査などのために再度充電を行い、出荷される。
【００３０】
なお、この種のフィルム外装電池１は、複数個を偏平な箱状のケーシング内に収容したバッテリモジュールとして使用される。この場合、バッテリモジュールのケーシング内で複数のフィルム外装電池１が積層された配置となり、例えば、ケーシングの一部またはケーシングとは別個の弾性部材によって、外装体５は、発電要素４の積層方向（発電要素４の主面と直交する方向）に多少押圧された状態となり得る。
【００３１】
本発明の絶縁不良検査は、外装体５の中間層であるアルミニウム箔からなる金属層５２と、発電要素４の電極板、図２の例では特に最外層に位置する負極板４２、との間で十分な絶縁が保たれているか否かを検査するためのものであり、上述した製造工程の中で、電解液の充填および外装体５の完全密閉（充填口の封止）の後の適宜な時期に実行される。例えば、フィルム外装電池１としての出荷の直前に検査工程を設けることができ、あるいは、外装体５を完全密閉した直後に検査工程を設けてもよい。また、上記のエージング工程中に内部で異物が析出することがあるので、エージング工程の直後に検査工程を設けることも効果的である。
【００３２】
図３は、絶縁不良の検査工程としてフィルム外装電池１の製造ライン中に設けられる検査ステージの構成を概略的に示している。この検査ステージは、電解液の充填および外装体５の完全密閉が完了したフィルム外装電池１が順次搬送される準備台６と、第１回（換言すれば前半）の絶縁不良検査を行う第１検査ステージ７と、第２回（換言すれば後半）の絶縁不良検査を行う第２検査ステージ８と、を備えている。また、準備台６と第１検査ステージ７との間には、準備台６から第１検査ステージ７へ検査対象となる１つのフィルム外装電池１を搬送する第１ハンド９が配置されており、第１検査ステージ７と第２検査ステージ８との間には、第１検査ステージ７で前半の検査が完了したフィルム外装電池１を第２検査ステージ８へ搬送する第２ハンド１０が配置されている。これらの第１，第２ハンド９，１０は、いずれも先端の吸着カップ（図示せず）部分で負圧による部品の吸着を行う吸着ハンド形式のものであり、支持部９ａ，９ｂを中心とした旋回運動によりフィルム外装電池１の搬送を行う。
【００３３】
第１検査ステージ７は、検査対象となるフィルム外装電池１が置かれる検査台７１と、フィルム外装電池１の外装体５の一部を押圧するようにシリンダ機構や直進型サーボモータ機構等によって垂直方向上下に移動する第１加圧バー７２と、検査用の電圧の印加および印加後の電圧信号の解析を行う第１検査装置７３と、を備えている。上記第１検査装置７３は、フィルム外装電池１の負極端子３およびラミネートフィルム内の金属層５２にそれぞれ接続される一対のプローブ７４，７５を備えている。負極端子３に接続される一方のプローブ７４は、例えば、負極端子３を挟む電極クリップや、上方から負極端子３を押さえる押さえ部材に対向して検査台７１の上に配置された電極パッド、あるいは逆に負極端子３を上方から検査台７１に押さえつける電極パッド、などとして構成され得る。またラミネートフィルムの金属層５２に接続される他方のプローブ７５は、例えば、ラミネートフィルムを貫通することが可能な鋭利な針状に構成され、外装体５となるラミネートフィルムの余白部分つまり熱融着した周縁部に突き刺すことで、金属層５２との導通が得られる構成となっている。この針状のプローブ７５は、垂直方向上方から下降してラミネートフィルムに刺さる構成としてもよく、逆に検査台７１の下側から上方へ突出する構成としてもよい。なお、針状のプローブ７５を用いる代わりに、ラミネートフィルムの一部に金属層５２の露出部分を形成するようにしてもよい。
【００３４】
また、第２検査ステージ８は、基本的には第１検査ステージ７と同様の構成であり、検査対象となるフィルム外装電池１が置かれる検査台８１と、フィルム外装電池１の外装体５の一部を押圧するようにシリンダ機構や直進型サーボモータ機構等によって垂直方向上下に移動する第２加圧バー８２と、検査用の電圧の印加および印加後の電圧信号の解析を行う第２検査装置８３と、を備えている。上記第２検査装置８３は、フィルム外装電池１の負極端子３およびラミネートフィルム内の金属層５２にそれぞれ接続される一対のプローブ８４，８５を備えている。これらのプローブ８４，８５は、第１検査ステージ７のプローブ７４，７５と同様に構成される。
【００３５】
ここで、上記第１検査ステージ７と上記第２検査ステージ８とでは、それぞれの加圧バー７２，８２の加圧面の形状が異なっている。第１検査ステージ７における第１加圧バー７２は、例えば、長方形をなす外装体５の幅方向の中央部分を帯状に押圧するように細長い長方形の加圧面を下端に有している。この加圧面は、基本的には、検査台７１の上面と平行な平坦面をなしている。
【００３６】
これに対し、第２検査ステージ８における第２加圧バー８２は、第１検査ステージ７の第１加圧バー７２によって押圧されなかった外装体５の両側２箇所の部分を押圧するように、２つに分割された一対の長方形の加圧面を下端に有している。図中の符号８２ａ，８２ｂは、２分割された個々の加圧面を示している。詳しくは、外装体５における発電要素４の投影範囲（つまり発電要素４を覆っている範囲）よりも僅かに大きい矩形の外形状の中から、第１加圧バー７２の加圧面に相当する領域を除いた形に加圧面８２ａ，８２ｂが構成されている。換言すれば、第１加圧バー７２の加圧面と第２加圧バー８２の加圧面とは相補の関係にあり、両者の加圧領域の総和が、外装体５における発電要素４の投影範囲全体をカバーしている。なお、加圧面８２ａ，８２ｂは、基本的には、検査台８１の上面と平行な平坦面をなしている。
【００３７】
上記検査ステージは、さらに、上記第１検査ステージ７あるいは上記第２検査ステージ８において絶縁不良と判定された不良品を搬送する不良品用コンベア１１と、両検査ステージ７，８で絶縁が確認された良品を搬送する良品用コンベア１２と、を有する。上記第１検査ステージ７あるいは上記第２検査ステージ８のいずれかで絶縁不良と判定された不良品は、図示せぬ排出機構によって各検査ステージ７，８から不良品用コンベア１１へ排出される。また、良品は、図示せぬ吸着ハンドなどによって第２検査ステージ８から良品用コンベア１２へ移送される。
【００３８】
図４は、上記の検査ステージを用いて行う絶縁不良検査の工程を示している。工程ａは、検査対象となるフィルム外装電池１が準備台６の上に置かれている状態を示している。この状態から、第１ハンド９がフィルム外装電池１を吸着して上方へ持ち上げ、かつ該第１ハンド９の旋回を伴って、工程ｂとして示すように、第１検査ステージ７の検査台７１上にフィルム外装電池１を移送する。移送後、第１ハンド９は退避する。
【００３９】
工程ｃは、検査台７１の上に置かれたフィルム外装電池１に対する第１の絶縁不良検査を示すものであり、プローブ７４，７５が前述したように負極端子３およびラミネートフィルムの金属層５２にそれぞれ接続され、かつ第１加圧バー７２が下降して外装体５の幅方向中央部分を押圧する。そして、このように発電要素４の投影範囲の一部領域を押圧した加圧状態の下で、第１検査装置７３がプローブ７４，７５の間に短時間電圧を印加し、かつその後の電圧低下の態様から、絶縁状態が得られているか絶縁不良であるか判別する。負極端子３ないし負極板４２と金属層５２との間で絶縁が保たれていれば、負極板４２と金属層５２とによって静電容量が構成され、また一方、絶縁不良であれば静電容量とはなり得ないので、それぞれで電圧印加後の電圧低下の態様が異なるものとなる。これにより、絶縁不良であるか否かが判別される。なお、絶縁不良の検査としては、このような手法に限定されず、公知の種々の方法を適宜に適用することが可能である。上記のように第１加圧バー７２によって加圧した状態で検査を行うことにより、例えば、自由状態では絶縁が保たれているものの外装体５が発電要素４へ押し付けられたときに絶縁不良となるような不良も確実に検出できる。特に、外装体５の全面を一斉に押圧するのではなく、一部の領域が押圧されるので、内部に密に充填された電解液に阻害されることなく、外装体５が発電要素４を両側から適度に圧縮した状態が確実に得られる。
【００４０】
工程ｃで絶縁不良と判定した場合は、不良品用コンベア１１へフィルム外装電池１が排出される。それ以外の場合は、工程ｄとして示すように、第２ハンド１０が検査台７１上のフィルム外装電池１を吸着して上方へ持ち上げ、かつ該第２ハンド１０の旋回を伴って、フィルム外装電池１を次の第２検査ステージ８の検査台８１上に移送する。移送後、第２ハンド１０は退避する。
【００４１】
工程ｅは、検査台８１の上に置かれたフィルム外装電池１に対する第２の絶縁不良検査を示しており、第２検査装置８３のプローブ８４，８５が負極端子３およびラミネートフィルムの金属層５２にそれぞれ接続され、かつ第２加圧バー８２が下降して外装体５の幅方向両側部分を押圧する。そして、このように発電要素４の投影範囲の一部領域を押圧した加圧状態の下で、前述した第１検査ステージ７と同様に、第２検査装置８３がプローブ８４，８５の間に短時間電圧を印加し、かつその後の電圧低下の態様から、絶縁状態が得られているか絶縁不良であるか判別する。上記のように第２加圧バー８２によって加圧した状態で検査を行うことにより、例えば、自由状態では絶縁が保たれているものの外装体５が発電要素４へ押し付けられたときに絶縁不良となるような不良も確実に検出できる。特に、外装体５の全面を一斉に押圧するのではなく、一部の領域が押圧されるので、内部に密に充填された電解液に阻害されることなく、外装体５が発電要素４を両側から適度に圧縮した状態が確実に得られる。しかも、第１加圧バー７２の加圧面と第２加圧バー８２の加圧面とは相補の関係にあり、発電要素４を覆う外装体５の範囲の各部が、いずれかの絶縁不良検査において必ず１回押圧されることとなり、発電要素４の全面に亘って漏れなく加圧状態での検査を行うことができる。
【００４２】
工程ｅで絶縁不良と判定した場合は、不良品用コンベア１１へフィルム外装電池１が排出される。それ以外の場合は、良品として良品用コンベア１２へ移送される。
【００４３】
図５は、上記のような絶縁不良検査の処理の流れをフローチャートとして示したものである。まずステップ１として、フィルム外装電池１が第１検査ステージ７へ移送され、ステップ２で、外装体５の加圧および検査用の電圧印加が実行される。ステップ３では、絶縁不良であるか否かが判別され、絶縁不良でなければステップ４へ進む。ステップ４では、フィルム外装電池１が次の第２検査ステージ８へ移送され、ステップ５で、外装体５の加圧および検査用の電圧印加が実行される。ステップ６では、絶縁不良であるか否かが判別され、絶縁不良でなければ、ステップ７において、良品であると最終的に判断する。ステップ３もしくはステップ６で絶縁不良と判断した場合は、ステップ８へ進み、不良品として排除する。
【００４４】
上記の実施例では、フィルム外装電池１の押圧すべき表面積（つまり発電要素４の投影範囲）を、発電要素４の積層方向に沿った平面視において、幅方向で３つの領域に区分し、その中央部分を第１検査ステージ７で押圧し、残りの２つの部分を第２検査ステージ８で押圧する。本発明においては、このような領域の区分は、任意であり、例えば、さらに多数の領域に分けて各々検査を行うようにしてもよい。
【００４５】
図６は、長方形をなすフィルム外装電池１の押圧すべき範囲を、長手方向に２つの領域に区分するようにした第２の実施例を示している。工程Ａは、第１検査ステージ７での第１の絶縁不良検査を示しており、検査台７１に対し上下動する第１加圧バー７２は、長方形をなすフィルム外装電池１の長手方向の略半分を覆う加圧面を有している。これにより、フィルム外装電池１の端子２，３とは反対側となる領域を押圧した加圧状態の下で、第１検査装置７３による絶縁不良検査が実行される。また、工程Ｂは、第２検査ステージ８での第２の絶縁不良検査を示しており、検査台８１に対し上下動する第２加圧バー８２は、長方形をなすフィルム外装電池１の長手方向の略半分、特に端子２，３寄りの部分、を覆う加圧面を有している。これにより、第１検査ステージ７で押圧されていなかったフィルム外装電池１の残りの領域を押圧した加圧状態の下で、第２検査装置８３による絶縁不良検査が実行される。
【００４６】
以上、この発明の一実施例を説明したが、本発明は、上記実施例に限定されるものではなく、種々の変更が可能である。例えば、上記実施例では、多数のフィルム外装電池１を効率よく検査するために、第１の絶縁不良検査と第２の絶縁不良検査とをそれぞれ別の検査台の上で行うようにしているが、移送工程の削減のために、一つの検査台の上で、異なる領域を押圧しながら各々の絶縁不良検査を順次実行するようにしてもよい。また、上記実施例では、負極端子３に関して絶縁不良検査を行っているが、必要に応じて、正極端子２を対象として絶縁不良検査を行うことも可能であり、負極端子３と正極端子２の双方を対象として絶縁不良検査を行うことも可能である。
【図１】
0005909022.tif 000002
【図２】
0005909022.tif 000003
【図３】
0005909022.tif 000004
【図４】
0005909022.tif 000005
【図５】
0005909022.tif 000006
【図６】
0005909022.tif 000007